(57)【要約】【課題】運搬用容器の落とし蓋を、防塵機能を低下させることなく、容器への装着と取り外しを確実且つ容易に行えるように構成する。【解決手段】容器開口面内に落とし入れて開口を閉鎖する落とし蓋を、上面に凹凸部が設けられた蓋部の周囲に可撓性を有する羽状部を側方へ張り出して形成する。容器から落とし蓋を取り外し易くするため、蓋部周辺の少なくとも一部には羽状部を切除した部分を設ける。【選択図】図１
2006089055.tif 000002
【特許請求の範囲】
【請求項１】
運搬用容器の開口面内に落とし入れて開口を閉鎖する落とし蓋であって、上面に凹凸部が設けられた蓋部の周囲に可撓性を有する羽状部を側方へ張り出して形成された運搬用容器の落とし蓋。
【請求項２】
蓋部周辺の少なくとも一部に羽状部を切除した部分を設けてなる請求項１に記載の運搬用容器の落とし蓋。
【発明の詳細な説明】
【技術分野】
【０００１】
本発明は、上面が開口した運搬用容器の開口面内に落とし入れて開口を閉鎖する落とし蓋に関する。
【背景技術】
【０００２】
自動車や情報機器のなどの部品物流では、比較的嵩のある重い部品は剛性を有するプラスチック製の運搬用容器に入れられ、その中に落とし蓋を入れて組立工程を流通させている。
現状の落とし蓋としては、平板状に形成されたプラスチック段ボール製のものが広く使用されているが、その利用の仕方は、図７（Ａ）に示されるように、落とし蓋７１を運搬用容器７２の内寸より一回り小さい外形寸法で形成し、これを容器内に入れられた部品７３に載せる場合と、同図（Ｂ）に示されるように、落とし蓋７１を運搬用容器７２の内寸に合わせた外形寸法で形成し、これを容器開口面内に嵌め入れて開口を密閉する場合とに大別される。
【０００３】
なお、本出願時点における特許庁保有の特許情報データベースを調査した範囲内では、運搬用容器の落とし蓋に関する先行技術文献情報はない。
【発明の開示】
【発明が解決しようとする課題】
【０００４】
現状の落とし蓋の内、前者においては、落とし蓋の容器内への装着、容器からの取り外しが容易である反面、容器内周面と落とし蓋との間の隙間から塵埃が容器内部に入り込み、部品に付着し易いという問題がある。また、落とし蓋が部品の上面に直に載るため、上面に油などが付着している部品や剛性の低い部品、精密部品の運搬には利用することができない。
また、後者においては、容器内周面と落とし蓋との間に隙間がなくなり、容器内部への塵埃の進入を防ぐことができる反面、平板状の落とし蓋が容器内周面にぴったりと密着して固定され、また、落とし蓋を把持する部位や隙間もないため、容器から落とし蓋を極めて取り外し難く、部品を容器から取り出す作業性が悪いという問題がある。この場合、作業性改善のため、落とし蓋の面内にこれを把持するための切り欠きを設けたのでは、この切り欠きから容器内に塵埃が進入して部品上に降り落ち、防塵機能を低下させてしまう。また、容器内周面に嵌った落とし蓋を取り外す際に、容器開口面内で落とし蓋を持ち上げて斜めに傾けると、落とし蓋の表面に付着し堆積していた塵埃が容器内の部品上に落下してしまうという問題もある。
【０００５】
本発明は従来技術の有するこのような問題点に鑑み、運搬用容器の落とし蓋を、防塵機能を低下させることなく、容器への装着と取り外しを確実且つ容易に行えるように構成することを課題とする。
【課題を解決するための手段】
【０００６】
前記課題を解決するため本発明は、運搬用容器の開口面内に落とし入れて開口を閉鎖する落とし蓋を、上面に凹凸部が設けられた蓋部の周囲に可撓性を有する羽状部を側方へ張り出して形成した。
容器から落とし蓋をより取り外し易くするため、蓋部周辺の少なくとも一部に羽状部を切除した部分を設けることが好ましい。
【０００７】
これによれば、運搬用容器の開口部に落とし蓋を上方から落とし入れて容器内に没入させれば、蓋部の周囲に張り出した羽状部が、その根元部分で屈曲し先端側を斜め上方へ捲り上げて容器内周面に密着し、蓋部とその周囲の羽状部とで容器開口面を閉鎖する。羽状部の縁部が容器内周面に沿ってぴったりと接するので、落とし蓋と容器内周面の間に隙間はできず、容器外側から容器内へ塵埃が入り込むことを防止する。
容器内に落とし蓋が没入した状態で、容器内周面に接する羽状部がその根元部分で折れ曲がり、折れ曲がった羽状部の弾性により容器内周面を羽状部が水平方向に押圧するため、落とし蓋は容器下方に沈むことなく没入させた位置に保持される。没入位置を調整することで、落とし蓋を容器内の所望の深さに固定しておくことができる。
また、落とし蓋の装着、取り外し操作は、蓋部上面に設けた凸部を摘んで簡便に行うことができる。すなわち、装着は、凸部を摘んで落とし蓋を容器開口部上に位置させ、そのまま開口面内に落とし入れることにより、取り外しは、凸部を摘んでそのまま落とし蓋を上方へ引き上げることにより行うことができる。なお、指先で凸部を確実に摘めるように、凸部は蓋面から上方に１０〜２０ｍｍ程度突出するように設けることが好ましい。
さらに、容器上面に凹部が設けてあるので、容器から取り外す際に落とし蓋が斜めに傾いても、蓋上面に付着し堆積した塵埃が凹部を超えて落下し難く、また、凸部上に塵埃が堆積していても、落とし蓋を容器から引き上げたときに自身の弾性によって折れ曲がった形状から元の形状に張り出した羽状部によって凸部上の塵埃を捕捉し、容器内部に落下することを防止する。
また、蓋部周辺に羽状部を切除した部分を設けておけば、容器から取り外すために落とし蓋を引き上げる際に、切除した部分が通気口となってから容器内部が減圧状態となることはなく、落とし蓋をスムーズな操作で取り外すことが可能である。この場合、蓋部の周辺部や隅角部の羽状部を僅かな隙間となるように切除することにより、そこから容器内部に入り込む塵埃を僅かな量にとどめ、仮に入り込んだとしても容器内側の周辺隅部に落下し、収納した部品に付着し難くすることができる。
本発明の落とし蓋は、成形物が可撓性を有する素材のもの、例えば成形物がしなやかで折り曲げに強いポリプロピレンなどを用い、同素材の薄いシートを熱成形して形成することができる。
【発明を実施するための最良の形態】
【０００８】
本発明の好適な一実施形態を図面を参照して説明する。
図１は本発明の落とし蓋の一実施形態の外観図、図２と図３はその平面図と断面図、図４は折り畳み式容器に落とし蓋を装着する状態を示す要部断面図、図５は傾斜した内周面を有する容器に落とし蓋を装着する状態を示す要部断面図、図６は落とし蓋を保管する状態を示す要部断面図である。
【０００９】
図示した形態の落とし蓋１は、上面が矩形に開口した運搬用容器の開口面内に落とし入れて開口を閉鎖するように形成されたものであり、これは、ポリプロピレンシートを熱成形し、上面に凹凸部が設けられた蓋部２の周囲に、適宜な幅で側方へ水平に張り出した羽状部３を一体に設けて形成してある。
【００１０】
詳しくは、蓋部２は、周囲を適宜な高さに立ち上げた側壁２１で平面視矩形に縁取られてなり、その立ち上がった周側壁２１の上面を断面逆Ｕ字形に内側に落とし込むとともに、対向する側壁２１、２１間に縦横にリブ２２を配して、上面に複数の凸部２３と凹部２４を設けてある。なお、各側壁２１とリブ２２は、僅かな抜き勾配で傾斜させて設けてあり、落とし蓋１同士を上下多段に重ねておけるようになっている（図６参照）。
【００１１】
また、羽状部３は、蓋部２の各側壁２１の下端部から水平に折れて側方へ適宜な幅張り出した形状を呈し、この内、蓋部２の四隅角部の部分では、図２に示されるように、切り欠き部３１を設けて羽状部３を切除してある。
【００１２】
落とし蓋１は、装着されるべき容器４に対して、蓋部２の外形寸法が容器４の底面部４１の内寸と略同じに設定され、また、羽状部３を含めた全体の外形寸法が容器４の開口部４２の内寸よりも大きく設定されており（図４、図５参照）、これにより容器４内に落とし入れたときに、容器内部に蓋部２が没入し且つ容器内周面４３に羽状部３が密着して接し、蓋部２とその周囲の羽状部３とで容器開口面を閉鎖するようになっている。
【００１３】
このように形成された落とし蓋１は、蓋部２上面の凸部２３を摘んで、部品を収納した容器４の開口部４２上に落とし蓋１を位置させ、そのまま開口面内に落とし入れ、容器内部に没入させることにより装着することができる。
【００１４】
容器内部に没入した落とし蓋１は、蓋部２の周囲に張り出した羽状部３が、その根元部分で撓み、先端側を容器内周面４３に密着させて容器開口面を閉鎖し、落とし蓋１と容器内周面４３の間に隙間ができないので、容器外側から塵埃が入り込むことを防止することができる。
【００１５】
図４に示されるように、折り畳み式の容器４ではその底面部４１上に略垂直に立ち上がった内周面４３に羽状部３が密着するとともに、折れ曲がった羽状部３が内周面４３を水平方向に押圧するため、落とし蓋１は容器内部で下方に沈むことなく没入させた位置に保持される。また、図５に示されるように、内周面４３が傾斜した容器４でも同様に、内周面４３の傾斜に対応して折れ曲がった羽状部３が密着し且つ内周面４３を押圧して、落とし蓋１を容器内部の没入させた位置に保持し固定しておくことができる。
【００１６】
また、落とし蓋１の取り外しは、前記と同様に蓋部２上面の凸部２３を摘んで容器内部から引き上げればよく、この際、落とし蓋１が傾いても、落とし蓋１の上面に付着し堆積した塵埃が凹部２４を乗り越えて容器内に落下することはなく、また、元の位置に張り出した羽状部３で凸部２３上の塵埃を捕捉することができる。蓋部２の四隅角部に羽状部３の切り欠け部３１を設けてあるので、落とし蓋１を引き上げるときに、切り欠け部３１が通気口となるため容器内部が減圧状態になることはなく、落とし蓋１の取り外し操作をスムーズに行うことが可能である。図６に示されるように、落とし蓋１は多段に積み重ねて保管することができるので、未使用時の保管スペースは小さくて済む。
【００１７】
なお、図示した落とし蓋の形態は一例であり、本発明の落とし蓋は様々な形状や寸法、用途の容器に応じて適宜に構成することが可能である。
【図面の簡単な説明】
【００１８】
【図１】本発明の落とし蓋の一実施形態の外観図である。
【図２】図１の落とし蓋の平面図である。
【図３】図２のIII−III線に沿った断面図である。
【図４】折り畳み式容器に落とし蓋を装着する状態を示す要部断面図である。
【図５】傾斜した内壁面を有する容器に落とし蓋を装着する状態を示す要部断面図である。
【図６】落とし蓋を保管する状態を示す要部断面図である。
【図７】（Ａ）、（Ｂ）は従来の落とし蓋の使用状態を示す容器の切断端面図である。
【符号の説明】
【００１９】
１  落とし蓋、２  蓋部、２１  側壁、２２  リブ、２３  凸部、２４  凹部、３  羽状部、３１  切り欠け部、４  容器、４１  底面部、４２  開口部、４３  内周面
【図１】
2006089055.tif 000003
【図２】
2006089055.tif 000004
【図３】
2006089055.tif 000005
【図４】
2006089055.tif 000006
【図５】
2006089055.tif 000007
【図６】
2006089055.tif 000008
【図７】
2006089055.tif 000009